(57)【要約】【課題】連結送水管において、チャッキ弁装置の設置や交換等を容易に実施できるようにする。【解決手段】建物１内に設置された消火用の連結送水管２に対し、消防ポンプからの給水管を通じて供給される消火用水を導入するための連結送水管用送水口装置１０は、給水管を装着可能な送水口３０と、連結送水管２の消火用水導入側端部５に接続可能に設定されたチャッキ弁装置４０と、送水口３０とチャッキ弁装置４０とを一体的に接続する連結管２０とを備えている。連結送水管用送水口装置１０は、連結送水管２の消火用水導入側端部５にチャッキ弁装置４０側を接続すると、連結送水管２側にチャッキ弁装置を設置するための工事を別途実施しなくても、法律で義務付けられているチャッキ弁装置を備えた連結送水管を容易に形成することができる。【選択図】　　　　図２
2004089412.tif 000002
【特許請求の範囲】
【請求項１】
建物内に設置された消火用の連結送水管に対し、給水管を通じて外部から供給される消火用水を導入するための送水口装置であって、
前記給水管を装着可能な送水口と、
前記連結送水管の消火用水導入側端部に接続可能に設定されたチャッキ弁装置と、
前記送水口と前記チャッキ弁装置とを一体的に接続する連結管と、
を備えた連結送水管用送水口装置。
【請求項２】
前記連結管は、前記建物の近傍の地上に起立可能に設定されている、請求項１に記載の連結送水管用送水口装置。
【請求項３】
前記送水口は、前記建物の壁面から一部が突出可能に設定されている、請求項１に記載の連結送水管用送水口装置。
【請求項４】
前記チャッキ弁装置は、前記連結管の接続側に第一排水路を有している、請求項１、２または３に記載の連結送水管用送水口装置。
【請求項５】
前記チャッキ弁装置は、前記連結送水管との接続側に第二排水路をさらに有している、請求項４に記載の連結送水管用送水口装置。
【発明の詳細な説明】
【０００１】
【発明の属する技術分野】
本発明は、送水口装置、特に、建物内に設置された消火用の連結送水管に対し、給水管を通じて外部から供給される消火用水を導入するための送水口装置に関する。
【０００２】
【従来の技術とその課題】
高層ビルなどの建物は、消火用の連結送水管を備えている。連結送水管は、建物の上下方向に延びる立管と、立管から各階において分岐して消火栓に連絡する分岐路と、立管に消火用水を導入するための送水口とを有している。送水口は、例えば、建物の１階部分の壁面に設けられており、消防ポンプからの給水管を接続可能に設定されている。ここで、消防ポンプから加圧されて送り出される消火用水は、給水管を通じて送水口内に導入され、立管内に連続的に供給される。立管に供給された消火用水は、分岐路を通じて各階の消火栓に対して供給される。
【０００３】
ところで、連結送水管は、導入された消火用水が送水口方向に逆流するのを防止するために、チャッキ弁装置（逆止弁装置）を設置することが法律で義務付けられている。ところが、チャッキ弁装置は、通常、建物近傍の地下や建物内において、立管に対して設置されるものであるため、設置のための施工作業が複雑かつ煩雑であり、また、修理や交換等の保守作業も複雑かつ煩雑となる。また、連結送水管は、チャッキ弁装置よりも送水口側に充填されている消火用水を排水するための排水経路と、チャッキ弁装置以降の立管側に充填されている消火用水を排水するための排水経路とが必要となるが、連結送水管に対してこれらの排水経路を個別に設けるための施工作業も複雑かつ煩雑である。
【０００４】
本発明の目的は、連結送水管において、チャッキ弁装置の設置や交換等を容易に実施できるようにすることにある。
【０００５】
【課題を解決するための手段】
本発明の連結送水管用送水口装置は、建物内に設置された消火用の連結送水管に対し、給水管を通じて外部から供給される消火用水を導入するためのものであり、給水管を装着可能な送水口と、連結送水管の消火用水導入側端部に接続可能に設定されたチャッキ弁装置と、送水口とチャッキ弁装置とを一体的に接続する連結管とを備えている。
【０００６】
この連結送水管用送水口装置は、給水管を装着可能な送水口とチャッキ弁装置とが連結管により一体的に接続されているため、連結送水管の消火用水導入側端部にチャッキ弁装置側を接続すると、連結送水管に対してチャッキ弁装置を設置するための工事を別途実施しなくても、法律で義務付けられているチャッキ弁装置を備えた連結送水管を形成することができる。
【０００７】
この連結送水管用送水口装置において、連結管は、例えば、建物の近傍の地上に起立可能に設定されている。或いは、この連結送水管用送水口装置において、送水口は、例えば、建物の壁面から一部が突出可能に設定されている。また、チャッキ弁装置は、例えば、連結管の接続側に第一排水路を有している。この場合、チャッキ弁装置は、例えば、連結送水管との接続側に第二排水路をさらに有している。
【０００８】
【発明の実施の形態】
図１を参照して、本発明の実施の一形態に係る連結送水管用送水口装置が採用された連結送水管を説明する。図において、高層ビルディングなどの建物１の内部に配置された連結送水管２は、建物１の主として上下方向に配置された立管３と、建物１の各階において立管３から分岐する複数の分岐路４とを有している。立管３の消火用水導入側端部５は、建物１近傍の地下内に埋設されており、地上Ｇに向けて開口している。そして、この消火用水導入側端部５には、連結送水管用送水口装置１０が取付けられている。なお、消火用水導入側端部５には、連結送水管用送水口装置１０を取付けるためのフランジ部（後述）が水平に設けられている。また、立管３の他端６は、建物１の屋上に延びており、連結送水管２が乾式の場合はテスト用の放水口（図示せず）が設けられており、また、連結送水管２が湿式の場合は屋上に配置された高架水槽（図示せず）に接続されている。一方、各分岐路４は、消火ホース（図示せず）が接続された消火栓７を末端に有している。
【０００９】
次に、図２、図３（図２のＩＩＩ部拡大断面図）および図４（図２のＩＶ部拡大断面図）を参照して、連結送水管用送水口装置１０の詳細を説明する。連結送水管用送水口装置１０は、消防ポンプ等から供給される消火用水を連結送水管２の立管３内に導入するためのものであり、図２に示すように、地上Ｇから起立する連結管２０と、連結管２０の上端付近に上下方向に配置された一対の送水口３０、３０と、連結管２０の下端に取り付けられたチャッキ弁装置４０とを主に備えている。
【００１０】
連結管２０は、上端が閉鎖されかつ内部に消火用水の通路２１を有する円管状の部材であり、下端にフランジ部２２を有している。このフランジ部２２には、図４に示すように、複数のボルト孔２３が形成されている。
【００１１】
各送水口３０は、図３に示すように、連結管２０から突出するように設けられており、本体部３１、割り板３２および保持部材３３を主に備えている。
【００１２】
本体部３１は、消防ポンプからの給水管８（後述）を挿入するための開口部３４を有する管状の部材であり、連結管２０の通路２１内に連絡している。また、本体部３１は、先端部の外周に螺旋部３５を有している。さらに、本体部３１の内部には、通路２１内に向けてチャッキ弁３６が設けられている。このチャッキ弁３６は、送水口３０を通じて給水管８から連結管２０内に導入された消火用水が給水管８方向に逆流するのを防止するためのものである。
【００１３】
割り板３２は、本体部３１内にゴミ等の異物が入るのを防止することにより、連結管２０の通路２１および連結送水管２が閉塞するのを防止するためのものであり、本体部３１の開口部３４を閉鎖するように配置されている。この割り板３２は、例えば、アクリル樹脂を用いて形成された円板状の薄板であり、開口部３４から本体部３１内に給水管８を挿入するときに容易に破壊されるように設定されている。
【００１４】
保持部材３３は、本体部３１の螺旋部３５に対応する螺旋部３７を内周面に有する環状の部材であり、本体部３１の螺旋部３５に対して螺旋止めされている。これにより、保持部材３３は、本体部３１の開口部３４との間に割り板３２を挟んだ状態で保持している。
【００１５】
チャッキ弁装置４０は、図４に示すように、枠体４１と弁体４２とを主に備えている。枠体４１は、連結管２０を接続するための上部枠体４３と、連結送水管２の立管３を接続するための下部枠体４４とに２分割されている。
【００１６】
上部枠体４３は、上下方向に貫通する貫通孔４５を有し、また、上端および下端にそれぞれフランジ部４６、４７を有している。ここで、貫通孔４５は、連結管２０の通路２１に連絡可能であり、また、下側が半球状に拡大している。上端側のフランジ部４６は、連結管２０のフランジ部２２に対応するように設けられており、フランジ部２２に形成された複数のボルト孔２３のそれぞれに対応する位置に、上方に突出する植込ボルト４６ａを有している。また、フランジ部４６内には、貫通孔４５に連絡する第一排水路４８が形成されている。この第一排水路４８は、フランジ部４６の外周側に、開閉弁を備えた排水経路に接続するための接続部４９を有している。下端側のフランジ部４７は、下方に突出する複数の植込ボルト４７ａを有している。
【００１７】
下部枠体４４は、上下方向に貫通する貫通孔５１を有し、また、上端および下端にそれぞれフランジ部５２、５３を有している。ここで、貫通孔５１は、立管３に連絡可能であり、また、上側が半球状に拡大している。上端側のフランジ部５２は、上部枠体４３の下端側のフランジ部４７に対応するように設けられており、フランジ部４７から突出する複数の植込ボルト４７ａのそれぞれに対応する位置に、ボルト孔５４を有している。下端側のフランジ部５３は、連結送水管２の立管３の消火用水導入側端部５に設けられたフランジ部９に対応しており、複数のボルト孔５５を有している。各ボルト孔５５は、フランジ部９から上方に突出する複数の植込ボルト９ａのそれぞれに対応している。また、フランジ部５３内には、貫通孔５１に連絡する第二排水路５６が形成されている。この第二排水路５６は、フランジ部５３の外周側に、開閉弁を備えた排水経路に接続するための接続部５７を有している。
【００１８】
上述の上部枠体４３と下部枠体４４とは、上部枠体４３の下端側のフランジ部４７と、下部枠体４４の上端側のフランジ部５２とが図示しないパッキンを挟んだ状態で一体化されている。ここで、両フランジ部４７，５２は、ボルト孔５４を貫通する植込ボルト４７ａに装着されたナット５８により液密に結合されている。このようにして上部枠体４３と下部枠体４４とを結合することにより形成される枠体４１は、上部枠体４３側の貫通孔４５と下部枠体４４側の貫通孔５１とが一体化することにより形成される球状の弁室５９を内部に有している。
【００１９】
弁体４２は、枠体４１内の弁室５９に配置されており、弁支持座６０、弁座６１、弁６２およびバネ６３を主に備えている。弁支持座６０は、消火用水の通路６４が設けられた環状の部材であり、弁室５９の下部、すなわち、貫通孔５１内に水平に固定されている。弁支持座６０は、中心部に上下方向に開口する案内孔６５が設けられており、また、案内孔６５の周囲にバネ６３を支持するためのバネ受け６６を有している。弁座６１は、消火用水の通路６７が設けられた環状の部材であり、弁室５９の上部、すなわち、貫通孔４５内に水平に固定されている。弁座６１は、中心部に上下方向に開口する案内孔６８が設けられており、また、外周部の下面に当接面６９を有している。
【００２０】
弁６２は、棒体７０と閉鎖片７１とを主に備えている。棒体７０は、円柱状の部材であり、上部が弁座６１の案内孔６８内で移動可能なように挿入されており、下部が弁支持座６０の案内孔６５内で移動可能なように挿入されている。また、棒体７０は、中央部よりも下方の位置に、案内孔６５の周縁に当接可能な凸部７２を有している。閉鎖片７１は、棒体７０の中央部よりも上方の位置に一体的に設けられた、棒体７０と同心の円板状の部材であり、直径が弁座６１の直径と概ね同じに設定されている。閉鎖片７１の外周縁には、弁座６１の当接面６９に対して液密に当接可能な当接面７３が形成されている。また、閉鎖片７１の下面には、弁支持座６０のバネ受け６６と対向するバネ座７４が形成されている。
【００２１】
バネ６３は、弁支持座６０のバネ受け６６と閉鎖片７１のバネ座７４との間に配置されており、閉鎖片７１の当接面７３が弁座６１の当接面６９と当接するよう弁６２を上方に付勢している。
【００２２】
上述のチャッキ弁装置４０は、上部枠体４３の上端側のフランジ部４６と連結管２０のフランジ部２２とが図示しないパッキンを挟んで固定されることにより、連結管２０に対して一体的に固定されている。ここで、両フランジ部４６，２２は、ボルト孔２３を貫通する植込ボルト４６ａに装着されたナット７６により液密に結合されている。
【００２３】
上述の連結送水管用送水口装置１０を連結送水管２の立管３の消火用水導入側端部５に対して取付ける場合は、図４に示すように、チャッキ弁装置４０の下部枠体４４のフランジ部５３と、連結送水管２の立管３の消火用水導入側端部５に設けられたフランジ部９とを固定する。ここで、両フランジ部９，５３は、図示しないパッキンを挟んだ状態で、ボルト孔５５を貫通する植込ボルト９ａにナット７５を装着して締め付けると、液密に結合させることができる。このように、この連結送水管用送水口装置１０は、立管３に対して容易に装着することができ、しかも、立管３に対して装着するだけで、チャッキ弁装置を備えた連結送水管２を容易に実現することができる。すなわち、この連結送水管用送水口装置１０を用いれば、連結送水管２に対してチャッキ弁装置を設置するための工事を別途しなくても、法律で義務付けられたチャッキ弁装置を有する連結送水管２を容易に実現することができる。
【００２４】
また、上述のようにして立管３に取付けられた連結送水管用送水口装置１０は、第一排水路４８および第二排水路５６に対し、それぞれ開閉弁を有する排水経路を個別に接続することができる。すなわち、この連結送水管用送水口装置１０を用いれば、連結送水管２内に導入された消火用水を排出するための排出経路を、施工が困難な立管３に対して別途設ける必要がなく、そのような排出経路を設けるための作業を連結送水管用送水口装置１０側で実施することができる。
【００２５】
次に、上述の連結送水管用送水口装置１０の使用方法を説明する。
火災時等において、連結送水管２に消火用水を供給する場合は、図３に一点鎖線で示すように、一対の送水口３０，３０のうちの一方に消防ポンプからの給水管８の先端を接続する。ここでは、給水管８の先端を割り板３２に押し当てて割り板３２を破壊し、当該先端を本体部３１の開口部３４に挿入して固定する。なお、他方の送水口３０は、一方の送水口３０に不具合がある場合のバックアップ用である。
【００２６】
この状態で消防ポンプを作動させると、給水管８に加圧された消火用水が供給され、この消火用水は送水口３０から連結管２０内に導入される。連結管２０内に導入された消火用水は、チャッキ弁装置４０において、上部枠体４３の貫通孔４５内に流入し、その圧力により弁体４２の閉鎖片７１をバネ６３の付勢力に抗して下方に押圧する。この結果、閉鎖片７１の当接面７３が弁座６１の当接面６９から離れ、図５に矢印で示すように、消火用水は上部枠体４３の貫通孔４５から下部枠体４４の貫通孔５１に向けて流れ、さらに連結送水管２の立管３内に供給される。そして、立管３に供給された消火用水は、各分岐路４を通じて建物１の各階に配置された消火栓７に供給される。
【００２７】
なお、弁体４２の棒体７０は、閉鎖片７１と共に下方に移動するが、凸部７２が案内孔６５の周縁に当接したところで停止する。このため、閉鎖片７１は、一定の距離以上に下方に押圧されるのが防止される。
【００２８】
上述のような消火用水の供給作業の終了時に消防ポンプを停止すると、連結送水管用送水口装置１０内には加圧された消火用水が供給されなくなるので、閉鎖体７１は、バネ６３の付勢力により上方に移動し、当接面７３が弁座６１の当接面６９に当接する。この結果、立管３内に供給された消火用水は、閉鎖体７１により連結管２０内に流入するのが阻止される。
【００２９】
また、消火活動の終了後において、給水管８を送水口３０から取り外す場合は、チャッキ弁装置４０のフランジ部４６に設けられた第一排水路４８に接続された排水経路の開閉弁を開放する。これにより、連結管２０内に残留している消火用水は、第一排水路４８および排水経路を通じて外部に排水されることになるので、給水管８は送水口３０から容易に取り外すことができる。
【００３０】
連結送水管２の保守、点検をする場合は、チャッキ弁装置４０のフランジ部５３に設けられた第二排水路５６に接続された排水経路の開閉弁を開放する。これにより、連結送水管２の立管３および分岐路４は、内部に残留している消火用水が第二排水路５６および排水経路を通じて排水されることになるので、保守、点検作業を容易に実施することができる。
【００３１】
なお、上述の連結送水管用送水口装置１０を用いた連結送水管２において、チャッキ弁装置４０の修理や交換が必要な場合、このチャッキ弁装置４０は、連結送水管２から連結送水管用送水口装置１０の全体を取り外すと、容易に修理したり交換したりすることができる。
【００３２】
［他の実施の形態］
（１）上述の実施の形態では、建物１の近傍の地上Ｇに起立して設けられる連結送水管用送水口装置１０を例に説明したが、本発明の連結送水管用送水口装置は、建物１の壁部に設置可能なように構成されていてもよい。このような連結送水管用送水口装置の一例を図６（平面図）および図７（側面図）に示す。図において、連結送水管用送水口装置１００は、横方向に配列された一対の送水口３０，３０と、チャッキ弁装置４０と、送水口３０，３０とチャッキ弁装置４０との間に配置された連結管１１０とを主に備えている。
【００３３】
各送水口３０は、上述の実施の形態の場合と同様に構成されており、本体部３１の保持部材３３側端部が建物１の外壁面に設置可能な送水口の表示用プレート１２０より外部に突出している。連結管１１０は、側面形状がＬ字状に形成されており、送水口３０，３０側に二又の分岐路１１１，１１１を有している。各分岐路１１１には、送水口３０の本体部３１のチャッキ弁３６側が挿入されて固定されている。チャッキ弁装置４０は、上述の実施の形態の場合と同様に構成されており、連結管１１０の下端に取付けられている。
【００３４】
上述のような連結送水管用送水口装置１００は、建物１内に配置された連結送水管２の立管３の消火用水導入側端部５が建物１の１階の壁部に配置されている場合、当該立管３の消火用水導入側端部５に対して容易に装着することができる。
【００３５】
なお、この連結送水管用送水口装置１００では連結管１１０をＬ字状に形成しているが、壁部の厚さや構造に応じ、連結管１１０はＳ字状やその他の任意の形状に設定されていてもよい。
【００３６】
（２）上述の実施の形態の連結送水管用送水口装置１０では、チャッキ弁装置４０において、立管３内に残留する消火用水を排水するための第二排水路５６を設けたが、立管３が消火用水を排水するための排水経路を独自に備えている場合、この第二排水路５６は省略することができる。
【００３７】
（３）上述の実施の形態では、連結送水管２が仕切り弁を備えていない場合について説明したが、法律や条令により仕切り弁の設置が求められている場合は、立管３の消火用水導入側端部５近傍に仕切り弁を別途設置することができる。
【００３８】
【発明の効果】
本発明の連結送水管用送水口装置は、給水管を装着可能な送水口と、連結送水管の消火用水導入側端部に接続可能に設定されたチャッキ弁装置と、送水口とチャッキ弁装置とを一体的に接続する連結管とを備えているため、連結送水管において、チャッキ弁装置の設置や交換等を容易に実施することができる。
【図面の簡単な説明】
【図１】本発明の実施の一形態に係る連結送水管用送水口装置が採用された連結送水管の一例の概略図。
【図２】前記連結送水管用送水口装置の外観図。
【図３】図２のＩＩＩ部の拡大断面図。
【図４】図２のＩＶ部の拡大断面図。
【図５】前記連結送水管用送水口装置に採用されたチャッキ弁装置が作動している場合の図４に相当する図。
【図６】本発明の連結送水管用送水口装置の他の実施の形態の平面図。
【図７】前記他の実施の形態の側面図。
【符号の説明】
１　建物
２　連結送水管
５　消火用水導入側端部
８　給水管
１０　連結送水管用送水口装置
２０　連結管
３０　送水口
４０　チャッキ弁装置
４８　第一排水路
５６　第二排水路
【図１】
2004089412.tif 000003
【図２】
2004089412.tif 000004
【図３】
2004089412.tif 000005
【図４】
2004089412.tif 000006
【図５】
2004089412.tif 000007
【図６】
2004089412.tif 000008
【図７】
2004089412.tif 000009